(57)【要約】      （修正有）【課題】黒板の色彩である緑色に拘らず、映写及び板書の兼用に好適な映写対黒板の色彩を提供する。【解決手段】社団法人日本塗料工業会発行２００７年Ｄ版塗料用標準色見本帳を参考に色彩を複数選択し、選択した色彩のサンプル映写対応黒板を鋼板メーカーに依頼して製作し、チョークの付きやすさ及び落ちやすさの比較及び検証を行い、更に電子黒板機能付プロジェクター３からの映像をサンプル映写対応黒板１Ａ、１Ｂ，１Ｃ及び既存の映写対応黒板５に映写し、映像の鮮明さを比較及び検証した結果、検証結果から映写及び板書の兼用に好適な映写対応黒板の色彩を、色票番号Ｄ７２−６０Ｈ、マンセル値２．５ＰＢ６／４とする。【選択図】図２
2017024256.tif 000002
【特許請求の範囲】
【請求項１】
映写対応黒板の色彩を社団法人日本塗料工業会発行２００７年Ｄ版塗料用標準色見本帳記載の色票番号Ｄ７２−６０Ｈ  マンセル値２．５ＰＢ６／４とすることを特徴とした映写対応黒板。
【請求項２】
チョークで書いた線が黒板面から略１ｍ離れた位置から見て線にむらが無く、黒板面から略８ｍ離れた位置から見て線が鮮明に見えることを特徴とした請求項１記載の映写対応黒板。
【請求項３】
チョークで書いた線を黒板消しで拭き消し、黒板面から略１ｍ離れた位置から見て、黒板面に筆記跡及び消しむらが無いことを特徴とする請求項１乃至請求項２記載のいずれかの映写対応黒板。
【発明の詳細な説明】
【技術分野】
【０００１】
プロジェクターからの映写及び板書の兼用に好適な映写対応黒板の色彩に関するものである。
【背景技術】
【０００２】
学校では、プロジェクターを利用して映像をスクリーンに映写し、支持棒などで指し示しながら説明を行う授業が昔から行われており、学校での一般的なプロジェクターの使用方法であった。スクリーンに、チョークやホワイトボードマーカーで文字などを書くことはなく、また、教室に設置されている従来の黒板に、映像を映写することはなかった。
【０００３】
普通教室で多く設置されている黒板は、チョークの粉が出るため、手の汚れや黒板消しなどの掃除が大変であるなど問題があるが、教室後方からでも板書が鮮明に見えやすい利点が有る。また、黒板の緑色は、１９５４年頃のＪＩＳ  Ｓ６００７黒板規格制定時にそれまでの黒色から緑色に変わってから続いている色彩であるため、教室に馴染みのある色彩として認識されている。
【０００４】
近年では、電子黒板機能付プロジェクターが普及しており、電子黒板機能付プロジェクターからの映像を黒板に映写し、映写されている黒板上で電子黒板の操作を行っている。授業の内容に合わせた写真や動画の映写を行ながら、板書が行えるため、生徒の理解力向上に繋がっている。また、テスト問題や資料などを映写することで、板書の時間短縮になり、授業時間を有効に活用できる。
【０００５】
しかし、従来の黒板に映写を行うと、ハレーションが発生し、映像の一部が白くぼやけて見えなくなり、また、映像が暗く、色彩が不鮮明となる問題があるため、従来の黒板に映写して使用される事はない。
【０００６】
そこで、映写する箇所に、マグネットスクリーンを貼付することで、ハレーションの発生や色彩の鮮明さの問題は解決できる。しかし、マグネットスクリーンを所定の位置に貼付する場合、シワや歪んだ状態での貼付など貼付のやり直しの事例が起こりやすく、綺麗に貼付するには手間と時間が掛かる問題がある。
【０００７】
そこで、従来の黒板と同様にチョークで板書が出来、且つ、ハレーションの発生を抑え、従来の黒板より鮮明な映像を映すことが出来る映写対応黒板がある。電子黒板機能付プロジェクターの導入と同時に、従来の黒板を、映写対応黒板に取替える事例が増加している。
【０００８】
従来の映写対応黒板は、従来の黒板より明度の高い淡い緑色のものが主流である。これはＪＩＳ  Ｓ６００７黒板規格に「色彩は、黒、緑又は受渡当事者間の協定による色」と有り、また、黒板＝緑色は常識となっているため、教室に違和感の無い緑系統の色彩になっていると思われる。そのため、映写対応黒板は、従来の黒板に映写した場合と比較して映像が鮮明に映るため、映写には優れているが、黒板の色彩が淡くなった分、従来の黒板と比較して、チョークの板書が見にくく感じる問題点がある。また、ＪＩＳ  Ｓ６００７黒板規格には、映写対応黒板についての規定は無い。
【０００９】
科目や先生によって電子黒板を使用しない授業もあり、当然板書中心となる。また、電子黒板を使用した授業であっても、電子黒板と板書を併用した授業展開となっているため、板書は授業にとって重要な要素となっている。そのため、板書が見えにくい問題点は、生徒の理解力を遅らせる原因となってしまう。
【００１０】
黒板は、緑色だけでなく、黒色やグレーなどの無彩色が提案されており、また、店頭看板などに使用される黒板では、赤や青などのカラフルな黒板もあり、従来の緑色以外の黒板を製造する技術はある。
【先行技術文献】
【特許文献】
【００１１】
【特許文献１】特許第４７７１８８０号
【発明の概要】
【発明が解決しようとする課題】
【００１２】
従来の黒板の色彩である緑色に拘らず、映写及び板書に好適な映写対応黒板の色彩の提案を課題とする。
【００１３】
黒板の色彩は、緑色が主流で、ＪＩＳ  Ｓ６００７黒板規格では、緑色及び黒色が明確な色彩として指定され、その色相及び明度及び彩度について規定されているが、その他の色彩については、受渡当事者間の協定による色であれば、明度及び彩度が規定値内であれば、明確な色彩の指定は無い。また、映写対応黒板についての規定も無い。
【００１４】
電子黒板機能付プロジェクターで従来の黒板に映写を行うと、ハレーションが発生し、映像の一部が白くぼやけて見えなくなり、又映像が暗く、色彩が不鮮明であるため、映写面として使用される事はない。
【００１５】
従来の映写対応黒板は、映写には優れているが、教室後方からチョークの板書が見にくい問題があるため、映写と板書の兼用に好適な黒板の色彩とは言えない。
【００１６】
マグネットスクリーンを黒板の所定の位置に、綺麗に貼付するには、手間がかかる。また、マグネットスクリーンは、チョークでの筆記及び消去が出来ないため、チョークと比べ高価なホワイトボードマーカーを別途用意する必要があり、コストアップに繋がる。また、ホワイトボードマーカーはインク切れなどで、板書の文字が擦れて見えにくくなる問題がある。
【００１７】
特許文献１は、製造技術についてであり、また、黒色系、灰色系、緑色系、茶色系、紺色系と大雑把な色彩について提案されているが、明確な色彩についてはない。
【課題を解決するための手段】
【００１８】
社団法人日本塗料工業会発行  ２００７年Ｄ版  塗料用標準色見本帳を参考に、チョーク及び映像が鮮明になる色彩を考慮し、複数の色彩を選択し、選択した色彩のサンプル映写対応黒板を、鋼板メーカーに依頼し製造する。
【００１９】
サンプル映写対応黒板のチョークの付きやすさ及び落ちやすさの比較を行うため、サンプル映写対応黒板にチョークで線を書き、黒板面から略１ｍ離れた位置から見て線にむらがないかを判定し、黒板面から略８ｍ離れた位置から見て線の鮮明さを判定及び比較を行い、書いた線をラーフルで消し、黒板面から略１ｍ離れた位置から見て筆記跡及び消しむらがないかを判定する。
【００２０】
壁掛け設置した電子黒板機能付プロジェクターからの映像を、サンプル映写対応黒板及び既存の映写対応黒板に映写し、映像の鮮明さを比較する。
【００２１】
チョークの付きやすさ及び落ちやすさと映像の鮮明さの検証結果から好適な映写対応黒板の色彩を決定する。
【発明の効果】
【００２２】
プロジェクターからの映像が鮮明に映り、また、板書された文字が教室後方からでも鮮明に見えるため、映写及び板書の兼用に好適な映写対応黒板の色彩を提案することが出来る。
【００２３】
チョークで板書を行うので、ホワイトボードマーカーのようなインク切れの心配がないため、授業の進行を妨げることがなく、また、ホワイトボードマーカーと比較して安価なチョークを使用するので、ランニングコストを抑えられる。
【００２４】
マグネットスクリーンを貼付する手間が不要となるため、準備時間の短縮に繋がる。
【図面の簡単な説明】
【００２５】
【図１】チョークの付きやすさ及び落ちやすさ検証のため、四角形を書いた状態のサンプル映写対応黒板を示す概略図
【図２】映像の鮮明さの検証実施状況を示す概略図
【発明を実施するための形態】
【００２６】
参考資料として、社団法人日本塗料工業会発行  ２００７年Ｄ版  塗料用標準色見本帳を使用し、発行年記号をＤとして説明する。
【００２７】
社団法人日本塗料工業会発行  ２００７年Ｄ版  塗料用標準色見本帳を参考に、映写対応黒板の色彩に適すると考えられる色彩の選択を行う。使用頻度の高い白色のチョーク７が鮮明に見える色彩且つ、電子黒板機能付プロジェクター３から映写された映像４が鮮明に映る色彩であることを考慮する。前記チョーク７が鮮明に見えない淡い色彩及び前記チョーク７が鮮明に見える色彩であっても、赤色など教室の景観を損なう色彩及び前記映像４が鮮明に映らない暗い色彩は、除外する。
【００２８】
除外されず残った社団法人日本塗料工業会発行  ２００７年Ｄ版  塗料用標準色見本帳に記載の色彩の中から、前記チョーク７及び前記映像４が鮮明且つ教室の景観を損ねない色彩であることを考慮して、更に選択を行い、表１に示す色票番号Ｄ７２−７０Ｄ  マンセル値２．５ＰＢ７／２及び色票番号Ｄ７２−６０Ｈ  マンセル値２．５ＰＢ６／４及び色票番号Ｄ４９−７０Ｂ  マンセル値１０Ｇ７／１を選択した。
【表１】
2017024256.tif 000003
【００２９】
選択した前記色票番号Ｄ７２−７０Ｄ  マンセル値２．５ＰＢ７／２及び前記色票番号Ｄ７２−６０Ｈ  マンセル値２．５ＰＢ６／４及び前記色票番号Ｄ４９−７０Ｂ  マンセル値１０Ｇ７／１の色彩で鋼板メーカーに依頼し、Ｄ７２−７０Ｄサンプル映写対応黒板１Ａ及びＤ７２−６０Ｈサンプル映写対応黒板１Ｂ及びＤ４９−７０Ｂサンプル映写対応黒板１Ｃをほうろう製映写対応黒板として製造する。
【００３０】
前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃの、黒板面の光沢度及び黒板面の表面粗さ及び黒板面の耐光性及び黒板面の付着性及び黒板面の防せい性は、ＪＩＳ  Ｓ６００７黒板規格に規定されている数値に準じていることが望ましく、鋼板メーカーからの品質成績証明書等で確認する。
【００３１】
前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃの、黒板面のチョークの付きやすさ及び落ちやすさと前記電子黒板機能付プロジェクター３からの前記映像４の鮮明さについて比較及び検証を行う。黒板面のチョークの付きやすさ及び落ちやすさは、ＪＩＳ  Ｓ６００７黒板規格の規定に準じて評価を行う。
【００３２】
比較及び検証を行う試験環境として、ＪＩＳ  Ｚ８７０３試験場所の標準状態規格に規定されている常温及び常湿とし、教室及び黒板の照度は、下限値３００ｌｘ以上で、５００ｌｘ以上が望ましいとされているため、照度が５００ｌｘ以上の場所で行う事とし、それらを測定できる機器を用いて計測を行う。
【００３３】
前記チョーク７は、ＪＩＳ  Ｓ６００９白墨規格に適合する白色を使用する。
【００３４】
黒板面のチョークの付きやすさは、前記チョーク７を前記Ｄ７２−７０Ｄ映写対応黒板１Ａ及び前記Ｄ７２−６０Ｈサンプル映写対応黒板１Ｂ及び前記Ｄ４９−７０Ｂサンプル映写対応黒板１Ｃの黒板面一面に軽くこすりつけ、黒板消しでよく拭き消した後、前記チョーク７で約５０ｍｍの四角形２を書き、前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃの黒板面から略１ｍ離れた位置から見て、前記四角形２の線にむらがあるかを判定する。更に前記Ｄ７２−７０Ｄ映写対応黒板１Ａ及び前記Ｄ７２−６０Ｈサンプル映写対応黒板１Ｂ及び前記Ｄ４９−７０Ｂサンプル映写対応黒板１Ｃの黒板面から略８ｍ離れた位置から見て前記四角形２の線が鮮明であるかを夫々判定し、線の鮮明さを比較する。
【００３５】
前記四角形２の線のむらは、前記Ｄ７１−７０Ｄサンプル映写対応黒板１Ａ及び前記Ｄ７２−６０Ｈサンプル映写対応黒板１Ｂ及びＤ４９−７０Ｂサンプル映写対応黒板１Ｃの全てに無く、良好である。線の鮮明さは、全てのサンプル映写対応黒板共に鮮明であり良好であるが、前記Ｄ７２−６０Ｈサンプル映写対応黒板１Ｂがより鮮明であった。
【００３６】
黒板面のチョークの落ちやすさは、前記四角形２の線を黒板消しで拭き消し、前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃの黒板面から略１ｍ離れた位置から見て、筆記跡及び消しむらがあるかを判定する。
【００３７】
筆記跡及び消しむらについては、前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃにも確認出来なかったため、チョークの落ちやすさは、全てのサンプル映写対応黒板共に良好である。
【００３８】
前記電子黒板機能付プロジェクター３からの前記映像４の鮮明さについて比較と検証を行う。  使用する前記電子黒板機能付プロジェクター３は、一般的な性能を有す３３００ｌｍのモデルを使用する。また、前記電子黒板機能付プロジェクター３は、壁掛け設置とし、画面などの各種調整を行った状態で比較と検証を行う。
【００３９】
壁掛け設置した前記電子黒板機能付プロジェクター３から前記映像４を前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃ及び既存の映写対応黒板５に映写し、前記映像４の鮮明さの比較と検証を行う。
【００４０】
前記Ｄ７２−７０Ｄサンプル映写対応黒板１Ａ及び前記Ｄ７２−６０Ｈサンプル映写対応黒板１Ｂ及び前記Ｄ４９−７０Ｂサンプル映写対応黒板１Ｃの前記映像４の鮮明さは、前記Ｄ７２−７０Ｄサンプル映写対応黒板１Ａは、若干ではあるが前記映像４に暗さがあり、前記Ｄ４９−７０Ｂサンプル映写対応黒板１Ｃは、前記映像４の明るさが強く見えるため、どちらも長時間の視聴を行うと目が疲れてしまう。前記Ｄ７２−６０Ｈサンプル映写対応黒板１Ｂは、前記Ｄ７２−７０Ｄサンプル映写対応黒板１Ａ及び前記Ｄ４９−７０Ｂサンプル映写対応黒板１Ｃ及び前記既存の映写対応黒板５と比較して、前記映像４の色彩の鮮明さ及び明るさ共に良好である。
【００４１】
黒板面のチョークの付きやすさ及び落ちやすさと映像の鮮明さの比較及び検証の結果から、前記Ｄ７２−６０Ｈサンプル映写対応黒板１Ｂが、最も好適な映写対応黒板の色彩であるとの結論となった。
【００４２】
前記Ｄ７２−６０Ｈサンプル映写対応黒板１Ｂの明度及び彩度が、ＪＩＳ  Ｓ６００７黒板の規定値をクリアすることが出来ないため、ＪＩＳ規格品とはならない。しかし、黒板の明度及び彩度を除く黒板面の光沢度及び黒板面の表面粗さ及び黒板面の耐光性及び黒板面のチョークの付きやすさ及び落ちやすさ及び黒板面の付着性及び黒板面の防せい性を、ＪＩＳ  Ｓ６００７黒板規格に準ずる性能とすることが望ましい。
【００４３】
表２で示す色彩は、前記Ｄ７２−６０Ｈサンプル映写対応黒板１Ｂと同系統の色彩である。そのため、前記Ｄ７２−７０Ｄサンプル映写対応黒板１Ｂと同等の映像の鮮明さ且つ、チョークの付きやすさ及び落ちやすさとなるため、表２で示す色票番号の色彩の映写対応黒板でも良い。
【表２】
2017024256.tif 000004
【００４４】
学校の黒板について説明を行ったが、当然のことであるが、学校の黒板のみならず、企業などにある脚付黒板や移動式黒板にも使用可能である。
【００４５】
社団法人日本塗料工業発行  ２００７年Ｄ版  塗料用標準色見本帳を参考に色彩の選択を行ったため、発行年記号をＤとして説明を行ったが、表１及び表２記載の記載版としても良い。
【符号の説明】
【００４６】
１Ａ    Ｄ７２−７０Ｄサンプル映写対応黒板
１Ｂ    Ｄ７２−６０Ｈサンプル映写対応黒板
１Ｃ    Ｄ４９−７０Ｂサンプル映写対応黒板
２      チョークで書いた四角形
３      電子黒板機能付プロジェクター
４      映像
５      既存の映写対応黒板
６      壁面
７      チョーク
【図１】
2017024256.tif 000005
【図２】
2017024256.tif 000006